(57)【要約】【課題】  器具内に設けた反射板との相互作用により、鉛直角９０°以上の光を抑制することのできる高欄照明器具を提供することである。【解決手段】  高欄照明器具内に設置されたランプ２に、器具本体１内に取り付けられランプ２からの光を反射する反射板６と、断面略U字形状でありその一端から延設されるつば部８を有してランプ２に着脱されるランプカバー４と、を備える。ランプカバー４の断面略U字部９の内側には、ランプ２にランプカバー４を取付けるための断面略U字形状のばね１０が取り付けられ、ランプ２に装着されている。そして、ランプカバー４の他端は、位置決め部材５の位置決め部１１に当接しており、ランプカバー４のつば部8は、鉛直角が５０°〜６０°となっている。【選択図】        図１
2005071833.tif 000002
【特許請求の範囲】
【請求項１】
器具本体内に取り付けられランプからの光を反射する反射板と、断面略U字形状でありその一端から延設されるつば部を有してランプに着脱されるランプカバーと、を備えることを特徴とする高欄照明器具。
【請求項２】
前記ランプカバーの他端が当接することにより、ランプカバーの位置決めを行う位置決め部材を有することを特徴とする請求項１記載の高欄照明器具。
【請求項３】
前記位置決め部材のランプカバーの他端が当接する位置決め部を、反射板とランプ間に設けたことを特徴とする請求項２記載の高欄照明器具。
【請求項４】
請求項１記載のランプカバーは、ランプに装着された後、ランプカバーの他端が位置決め部材の位置決め部に当接するまで回転されることより位置決めされることを特徴とする、高欄照明器具の施工方法。
【発明の詳細な説明】
【技術分野】
【０００１】
本発明は、ランプカバーを備える高欄照明器具に関するものである。
【背景技術】
【０００２】
従来、道路路肩付近の道路面により１ｍ前後の高さに設置される高欄照明器具として、反射膜を有して光の照射方向を制御するリフレクタタイプの蛍光ランプを用いたものがある。また、ランプとして高周波点灯専用蛍光ランプを用いる場合には、リフレクタタイプのものが存在しないため、ランプからの光を配光制御する他の手段が必要となる。
【０００３】
ランプからの光を配光制御する方法としては、高欄照明器具ではないが、例えば実開平０７−００１５２０号公報に示されるものがある。このものは、直管型のランプを装着したランプソケットを有する器具本体と、このランプに着脱かつ回動可能に挟着するばねを有して前記ランプに被さる断面略U字形のランプカバー（実開平０７−００１５２０号公報には反射板と記載されている）を備えたものである。
【０００４】
この構成によって、ランプカバーを回動することにより容易に照射方向を変更することができる等の効果を奏する。
【０００５】
しかしながら、前記高欄照明器具に上記実開平０７−００１５２０号公報に示されるランプカバーを用いた場合には、器具内に設けた反射板との相互作用により、鉛直角９０°以上の光が照射され、この光が道路を走行する車両の運転者の目に直接入ることが懸念される。
【特許文献１】実開平０７−００１５２０号公報
【発明の開示】
【発明が解決しようとする課題】
【０００６】
本館発明は、上記背景技術に鑑みてなしたもので、その課題は、器具内に設けた反射板との相互作用により、鉛直角９０°以上の光を抑制することのできる高欄照明器具を提供することである。
【課題を解決するための手段】
【０００７】
請求項１に係る発明は、器具本体内に取り付けられランプからの光を反射する反射板と、断面略U字形状でありその一端から延設されるつば部を有してランプに着脱されるランプカバーと、を備えることを特徴とする。
【０００８】
請求項２に係る発明は、請求項１の発明において、前記ランプカバーの他端が当接することにより、ランプカバーの位置決めを行う位置決め部材を有することを特徴とする。
【０００９】
請求項３に係る発明は、請求項２の発明において、前記位置決め部材のランプカバーの他端が当接する位置決め部を反射板とランプ間に設けたことを特徴とする。
【００１０】
請求項４に係る発明は、請求項１記載のランプカバーがランプに装着された後、ランプカバーの他端が位置決め部材の位置決め部に当接するまで回転されることより位置決めされることを特徴とする。
【発明の効果】
【００１１】
本発明によれば、断面略U字形状でありその一端から延設されるつば部を有してランプに着脱されるランプカバーを設けたので、ランプが反射板で反射される鉛直角９０°以上の光を遮光することができ、これにより光が道路を走行する車両の運転者の目に直接入ることを防止することができる。
【発明を実施するための最良の形態】
【００１２】
本実施形態を図１〜図３に基づいて説明する。図１は、実施形態の高欄照明器具の断面図である。図２（ａ）は、実施形態における高欄照明器具の位置決め部材取り付け時の断面図、（ｂ）は正面図である。図３（ａ）は、実施形態におけるランプカバー取り付け前の要部斜視図である。図３（ｂ）は、実施形態におけるランプカバー取り付け時の要部斜視図である。図３（ｃ）は、実施形態におけるランプカバーの取り付け後の要部斜視図である。
【００１３】
本実施形態の高欄照明器具は、図１に示すように器具本体１、ランプ２、ランプ２を点灯させる安定器３、ランプ２に取付けられランプ２から放射される光を反射するランプカバー４、ランプカバー４の位置を決める位置決め部材５、ランプ２から放射される光およびランプカバー４で反射される光を反射する反射板６及び透光パネル７を備えている。
【００１４】
以下、具体的に説明する。器具本体１は、断面が略四角形状の箱体であって、側面に光が透光する透光パネル７を有している。透光パネル７は、ガラス材料により板状に形成されている。また、器具本体１内部には、透光パネル７に沿ってランプ２が設置されている。ランプ２は、管径が約２５ｍｍの直管形の蛍光ランプである。
【００１５】
安定器３は、ランプ２を高周波点灯するインバータ回路を備え、ランプ２を支持するソケット（図示はしない）を介してランプ２に電気的に接続されている。
【００１６】
反射板６は、前述のように器具本体１から、鉛直角７０〜８０°の方向に光を照射するため、ランプ２と同じく透光パネル７に沿って設置されるもので、断面がパラボラ形状に形成されている。
【００１７】
また、ランプカバー４の両端には、側面視において、略L字形状の位置決め部材５が器具本体１に取付けられている。位置決め部材５は、位置決め部材５のランプカバー４の他端が当接する位置決め部１１を有し、位置決め部１１は、反射板６とランプ２間に設けられている。
【００１８】
そして重要なことは、ランプ２の軸に対して略直交する方向に延設されるつば部８を有するランプカバー４をランプ２に設けたことである。
【００１９】
具体的には、ランプカバー４は、厚み約０．７ｍｍのアルミニウム板材を加工したものであり、ランプ２を覆う断面略U字形状のU字部９と、U字部９の一端がランプ２の軸に対して略直交する方向に延設されるつば部８をとが一体に形成されている。ここで、つば部８の幅は約３０ｍｍである。
【００２０】
また、ランプカバー４のU字部９の内側には、ランプカバー４をランプ２に取付けるための断面略U字形状のばね１０が取り付けられている。
【００２１】
ランプカバー４の他端は、位置決め部材５の端部に設けた位置決め部１１に当接しており、ランプカバー４のつば部8は、鉛直角が５０°〜６０°となっている。
【００２２】
以上の構成において、ランプ２が安定器３から電力の供給を受けて点灯すると、ランプ２が点灯してランプ２のバルブの周囲に光を放射する。ここで、ランプカバー４のU字部９に放射された光は、U字部９の表面で反射され、さらに反射板６の表面で反射されて、鉛直角７０°〜８０°の角度でもって、道路の路面に照射される。また、反射板６の断面視における直線部分周辺に放射された光は、鉛直角約９０°の角度でもって反射板６で反射され、ランプカバー４のつば部８に入射する。すなわち、鉛直角約９０°の光は、ランプカバー４のつば部９で遮光される。これにより高欄照明器具から出力される光が道路を走行する車両の運転者の目に直接入ることを防止することができるのである。また、前述のように位置決め部材５を設けることにより、所望の角度でランプカバー４を取り付けることができる。さらに、位置決め部材５の位置決め部１１を反射板６とランプ２間に設けたことにより、位置決め部１１がランプカバー４の取付の邪魔をしなくなるので、施工性が向上する。
【００２３】
次に、位置決め部材５及びランプカバー４の施工方法について説明する。
まず、図２（ａ）、（ｂ）に示すようにランプカバー４の位置決めを行う一対の位置決め部材５を器具本体にネジ止め等の手段により取付ける。ここで、位置決め部材５の位置決め部分１１は、ランプ２の軸と略等しい高さの部分となるようにする。次に、図３（ａ）に示すようにランプカバー４に取り付けられたばね１０の開口をランプ２に押し当てることによりランプカバー４をランプ２に装着する。そして、図３（ｂ）に示すようにランプ２の軸を中心に紙面上で上方に回転させる。ランプカバー４を回転させると、図３（ｃ）に示すようにランプカバー４の一端が、位置決め部材５の位置決め部分１１に当接することにより、ランプカバー４が位置決めされる。このように、位置決め部材５を用いることで、ランプカバー４の位置を所定の角度で簡易的に固定することができる。
【００２４】
なお、以上の実施形態においては、ランプ２として管径が約２５ｍｍの直管形の蛍光ランプを用いたが、上記ランプカバーの厚みは約０．７ｍｍと薄く弾性を有することにより、管径が約３２ｍｍの直管形の蛍光ランプにも対応させることができる。また、ランプ２の種類は、蛍光ランプに限らず低圧ナトリウムランプなどの筒形の形状のものを用いてもよい。透光パネル７は、ガラス材料を用いたが、透光性を有するプラスチック材料やアクリル材料を用いてもよい。また、ランプカバーは、断面略U字形状としたが、ランプからの光を一定方向に反射する形状であれば良く、例えば断面略Ｖ字形状としても良い。
【図面の簡単な説明】
【００２５】
【図１】実施形態の高欄照明器具の断面図である。
【図２】（ａ）は、実施形態における高欄照明器具の位置決め部材取り付け時の断面図、（ｂ）は正面図である。
【図３】（ａ）は、実施形態におけるランプカバー取り付け前の要部斜視図である。図３（ｂ）は、実施形態におけるランプカバー取り付け時の要部斜視図である。図３（ｃ）は、実施形態におけるランプカバーの取り付け後の要部斜視図である。
【符号の説明】
【００２６】
１    器具本体
２    ランプ
３    安定器
４    ランプカバー
５    位置決め部材
６    反射板
７    透光パネル
８    つば部
９    U字部
１０  ばね
１１  位置決め部
【図１】
2005071833.tif 000003
【図２】
2005071833.tif 000004
【図３】
2005071833.tif 000005